(57)【特許請求の範囲】
【請求項１】
フィルタが内蔵された交換型のフィルタユニットと、空気流入口を有する上流側空間及び空気流出口を有する下流側空間に画成された内部空間に前記フィルタユニットが設置されるとともに、上部に前記フィルタユニットが挿通可能な開放部を備えた外ケーシングと、前記開放部を気密可能に塞ぐ蓋体とから構成され、
前記フィルタユニットは、前記上流側空間に向けて開口する一方側の開口と前記下流側空間に向けて開口する他方側の開口とを有するとともに、これら開口部同士を通じたフィルタ流路を有し、かつ前記開放部からの落し込みによって外ケーシング内に設置されるとともに、吊り上げによって取り外し可能とされ、
前記フィルタユニットは設置状態で、前記他方側の開口と前記外ケーシングの空気流出口とが前記下流側空間を通じて連通しており、かつ前記上流側空間と下流側空間との間を仕切るとともに、前記フィルタ流路以外の気密がフィルタユニットの自重によって保持され、
前記蓋体は、前記開放部への落し込みによって設置されるとともに、吊り上げによって取り外し可能とされ、設置状態で前記外ケーシングの内部空間と外部との間の気密が蓋体の自重によって保持され、
前記フィルタユニットの一方側の開口に、該開口を閉塞可能且つ内側に向けて回動可能な閉塞板が配設され、前記外ケーシングの内部に、前記フィルタユニットの設置時に前記閉塞板に衝合して前記開口の閉塞状態を解除するための押棒が突設されていることを特徴とする空気浄化装置。
【請求項２】
前記蓋体の上面及び前記フィルタユニットの上面はそれぞれ、磁気に対して吸着可能な素材で構成されている請求項１記載の空気浄化装置。
【請求項３】
前記蓋体には、前記外ケーシングの内面に係合して該蓋体の位置決めを行うガイド板が設けられている請求項１、２いずれかに記載の空気浄化装置。
【請求項４】
前記フィルタユニットには、前記外ケーシングの内面に係合して該フィルタユニットの位置決めを行うガイド板が設けられている請求項１〜３いずれかに記載の空気浄化装置。
【請求項５】
前記フィルタユニットの他方側の開口に、該開口を閉塞可能且つ内側に向け付勢力に抗して回動可能な閉塞板が配設され、前記蓋体の下面に、前記フィルタユニットの設置時に前記閉塞板に衝合して前記開口の閉塞状態を解除するための押棒が突設されている請求項１〜４いずれかに記載の空気浄化装置。
【発明の詳細な説明】
【技術分野】
【０００１】
本発明は、フィルタが内蔵された交換型のフィルタユニットを備えた空気浄化装置に関し、具体的には遠隔操作によって安全にフィルタユニットの交換を可能にした空気浄化装置に関する。
【背景技術】
【０００２】
従来より、フィルタを内蔵したカセット式のフィルタユニットを備え、所定時間経過後に新しいものに取り換えるフィルタユニット交換型の空気浄化装置が知られている。このようなフィルタユニットの多くは、ダクト内やダクトが接続された箱体の中に収められており、このような構造のフィルタユニットを交換するには、フィルタユニットを取り外すために作業員がフィルタユニットに直接的に接近して交換作業を行う必要があった。
【０００３】
ところが、放射性物質を含む空気の空気浄化装置においては、フィルタに多量の放射性物質が捕集されているため、フィルタユニットを直接的に扱うことによる作業員の被ばくや、捕集した放射性物質の再飛散による二次汚染などが問題となっていた。
【０００４】
このため、下記特許文献１では、直接的な人手によらず遠隔操作により安全な作業性を図ることなどを目的として、新しいフィルターを搬入ボックス内へ搬入し、この搬入ボックス内の新しいフィルターを密閉ボックス内のコンベア上へ移送する移送機構と、密閉ボックス内のコンベアを駆動する駆動機構と、密閉ボックス内の新しいフィルターを収納容器内へ、またフィルターユニットの使用済フィルターを取外し、収納容器内へ、更に収納容器内の新しいフィルターをフィルターユニット内へ取付け、収納容器内の使用済フィルターを密閉ボックス内へ転送する脱着転送機構と、密閉ボックス内のコンベア上へ移送された使用済フィルターをシュートに排出する排出機構とが設けられた放射性物質含有ダスト補修用フィルターの交換装置が開示されている。
【先行技術文献】
【特許文献】
【０００５】
【特許文献１】特開平１１−２０２０９２号公報
【発明の概要】
【発明が解決しようとする課題】
【０００６】
しかしながら、上記特許文献１記載の交換装置では、コンベアを内蔵する密閉ボックスや搬入ボックス、収納容器などが必要となり、設備が大型化するとともに、複雑な構造のため取り扱いが困難であった。
【０００７】
ところで、放射性物質を含む空気の浄化装置においては、フィルタユニットを交換する際、(1)フィルタユニットに捕集された放射性物質による汚染の拡大防止、(2)作業員の被ばく線量の低減が重要となる。
【０００８】
しかしながら、従来のようにダクトなどに直接フィルタユニットが取り付けられた構造の場合、交換時に作業員が直接フィルタユニットを取り外さなければならず、多量の放射性物質を捕集したフィルタユニットを直接的に扱うことによる被ばくや、捕集物（放射性物質）が再飛散することによる二次汚染が問題になっていた。
【０００９】
二次汚染の防止については、従来より密閉型のフィルタユニットが存在するが、取り換えに際して作業員が直接接近して作業しなければならない問題は残り、上記(1)、(2)を同時に解決するには至っていない。
【００１０】
そこで本発明の主たる課題は、交換型のフィルタユニットを備えた空気浄化装置において、遠隔操作によってフィルタユニットの交換作業が安全に且つ簡便に行えるようにした空気浄化装置を提供することにある。
【課題を解決するための手段】
【００１１】
上記課題を解決するために請求項１に係る本発明として、フィルタが内蔵された交換型のフィルタユニットと、空気流入口を有する上流側空間及び空気流出口を有する下流側空間に画成された内部空間に前記フィルタユニットが設置されるとともに、上部に前記フィルタユニットが挿通可能な開放部を備えた外ケーシングと、前記開放部を気密可能に塞ぐ蓋体とから構成され、
前記フィルタユニットは、前記上流側空間に向けて開口する一方側の開口と前記下流側空間に向けて開口する他方側の開口とを有するとともに、これら開口部同士を通じたフィルタ流路を有し、かつ前記開放部からの落し込みによって外ケーシング内に設置されるとともに、吊り上げによって取り外し可能とされ、
前記フィルタユニットは設置状態で、前記他方側の開口と前記外ケーシングの空気流出口とが前記下流側空間を通じて連通しており、かつ前記上流側空間と下流側空間との間を仕切るとともに、前記フィルタ流路以外の気密がフィルタユニットの自重によって保持され、
前記蓋体は、前記開放部への落し込みによって設置されるとともに、吊り上げによって取り外し可能とされ、設置状態で前記外ケーシングの内部空間と外部との間の気密が蓋体の自重によって保持され、
前記フィルタユニットの一方側の開口に、該開口を閉塞可能且つ内側に向けて回動可能な閉塞板が配設され、前記外ケーシングの内部に、前記フィルタユニットの設置時に前記閉塞板に衝合して前記開口の閉塞状態を解除するための押棒が突設されていることを特徴とする空気浄化装置が提供される。
【００１２】
上記請求項１記載の発明では、フィルタユニットが外ケーシング内部に設置され、この外ケーシングとして内部空間が空気流入口を有する上流側空間及び空気流出口を有する下流側空間に画成され、上部にフィルタユニットが挿通可能な開放部を備えた構造としてあり、この開放部を気密可能に塞ぐように蓋体が設けられている。前記フィルタユニットは、上流側空間に向けて開口する一方側の開口と下流側空間に向けて開口する他方側の開口とを有するとともに、これら開口部同士を通じたフィルタ流路を有し、かつ前記開放部からの落し込みによって外ケーシング内に設置されるとともに、吊り上げによって取り外し可能とされている。そして、設置状態で、他方側の開口と外ケーシングの空気流出口とが下流側空間を通じて連通しており、かつ前記上流側空間と下流側空間との間を仕切るとともに、前記フィルタ流路以外の気密がフィルタユニットの自重によって保持されている。一方蓋体は、前記開放部への落し込みによって設置されるとともに、吊り上げによって取り外し可能とされ、設置状態で前記外ケーシングの内部空間と外部との間の気密が蓋体の自重によって保持されている。このため、フィルタユニットの交換に際しては、クレーンなどによって前記蓋体を吊り上げて取り外し、使用済みのフィルタユニットを吊り上げて取り外した後、新たなフィルタユニットを落し込みによって設置し、蓋体を落し込みによって設置するだけでよく、これらの一連の交換作業がすべて直接的な人手によることなく行えるようになる。従って、遠隔操作によってフィルタユニットの交換作業が安全に且つ簡便に行えるようになる。
【００１３】
また、前記フィルタユニットの一方側の開口に、該開口を閉塞可能且つ内側に向けて回動可能な閉塞板を配設し、前記外ケーシングの内部に、前記フィルタユニットの設置時に前記閉塞板に衝合して前記開口の閉塞状態を解除するための押棒を突設することによって、フィルタユニットを外ケーシングの内部空間に設置しただけで、前記押棒によって閉塞板が開状態となって一方側の開口を通じた空気の流通を可能とする一方、フィルタユニットの交換時にフィルタユニットを吊り上げた状態では、閉塞板が閉状態となり一方側の開口を通じた空気の流通を不可としている。空気の上流側空間に向けて開口する一方側の開口に近い側のフィルタには相対的に高濃度に汚染物質が捕集されているが、この汚染物質が露出せず、一方側の開口を通じた汚染の拡大を防止することができるようになる。
【００１４】
請求項２に係る本発明として、前記蓋体の上面及び前記フィルタユニットの上面はそれぞれ、磁気に対して吸着可能な素材で構成されている請求項１記載の空気浄化装置が提供される。
【００１５】
上記請求項２記載の発明では、前記蓋体の上面及び前記フィルタユニットの上面をそれぞれ、磁気に対して吸着可能な素材で構成することによって、蓋体及びフィルタユニットの設置及び取り外しに際して、磁石の吸着作用を利用してより簡便な交換作業ができるようにしている。
【００１６】
請求項３に係る本発明として、前記蓋体には、前記外ケーシングの内面に係合して該蓋体の位置決めを行うガイド板が設けられている請求項１、２いずれかに記載の空気浄化装置が提供される。
【００１７】
請求項４に係る本発明として、前記フィルタユニットには、前記外ケーシングの内面に係合して該フィルタユニットの位置決めを行うガイド板が設けられている請求項１〜３いずれかに記載の空気浄化装置が提供される。
【００１８】
上記請求項３、４記載の発明は、蓋体及びフィルタユニットをクレーンなどの遠隔操作によって設置・取り外しを行う際、外ケーシングに対する位置決めを行うためのガイド板をそれぞれ設けるようにしたものである。
【００１９】
請求項５に係る本発明として、前記フィルタユニットの他方側の開口に、該開口を閉塞可能且つ内側に向け付勢力に抗して回動可能な閉塞板が配設され、前記蓋体の下面に、前記フィルタユニットの設置時に前記閉塞板に衝合して前記開口の閉塞状態を解除するための押棒が突設されている請求項１〜４いずれかに記載の空気浄化装置が提供される。
【００２０】
上記請求項５記載の発明では、前記フィルタユニットの他方側の開口に閉塞板を設け、他方側の開口を通じた汚染の拡大を防止している。
【発明の効果】
【００２１】
以上詳説のとおり本発明によれば、遠隔操作によってフィルタユニットの交換作業が安全に且つ簡便に行えるようになる。
【図面の簡単な説明】
【００２２】
【図１】本発明に係る空気浄化装置１の縦断面図である。
【図２】フィルタユニット２の縦断面図である。
【図３】フィルタユニット２の上面図である。
【図４】フィルタユニット２の上流側開口１０近傍を示す、(A)は縦断面図、(B)はそのＢ−Ｂ線矢視図である。
【図５】蓋体４の底面図である。
【図６】他の形態例に係る空気浄化装置１の縦断面図である。
【図７】他の形態例に係るフィルタユニット２の縦断面図である。
【図８】他の形態例に係る空気浄化装置１の縦断面図である。
【発明を実施するための形態】
【００２３】
以下、本発明の実施の形態について図面を参照しながら詳述する。
本発明に係る空気浄化装置１は、原子力発電所等の建屋内に拡散した放射性物質をフィルタによって捕集し、フィルタが目詰まりしたら交換することによって建屋内の空気を浄化する場合に特に好適である。
【００２４】
本空気浄化装置１は、図１に示されるように、各種のフィルタ５が内蔵された交換型のフィルタユニット２と、空気流入口１３を有する上流側空間１４及び空気流出口１５を有する下流側空間１６に画成された内部空間に前記フィルタユニット２が設置されるとともに、上部に前記フィルタユニット２が挿通可能な開放部１７を備えた外ケーシング３と、前記開放部１７を気密可能に塞ぐ蓋体４とから主に構成されている。
【００２５】
以下、各構成について詳細に説明する。
前記フィルタユニット２は、詳細には図２及び図３に示されるように、平面視略方形状に形成された各種のフィルタ５と、その外側を覆うフィルタ収容体６とから構成され、詳細には、前記上流側空間１４に向けて開口する上流側開口１０と、前記下流側空間１６に向けて開口する下流側開口１１とを有するとともに、これら開口同士を通じたフィルタ流路２Ａを有し、かつ前記開放部１７からの落し込みによって外ケーシング３内に設置されるとともに、吊り上げによって取り外し可能とされている。
【００２６】
前記フィルタ５は、単層としてもよいが粒子状放射性物質や微粒粉塵を効率的に捕集するため図示例のように複層で配置した方が好ましい。図示例では、下側からＨＥＰＡフィルタ５ａ、チャコールフィルタ５ｂ、ＨＥＰＡフィルタ５ｃの順に３層のフィルタが配設されている。下側（上流側）の前記ＨＥＰＡフィルタ５ａは、主にセシウム等の粒子状放射性物質及び微粒粉塵を捕集するためのもので、上側（下流側）の前記ＨＥＰＡフィルタ５ｃは、主にチャコールフィルタ５ｂから放出される微粒粉炭を捕集するためのものである。また、チャコールフィルタ５ｂは、活性炭等の作用により特に単体ヨウ素及びヨウ素化合物を吸着するためのものである。
【００２７】
前記フィルタ収容体６は、前記フィルタ５の側面を覆う胴部７と、前記フィルタ５の下側（上流側）の端面を覆うとともに、ボックス状のチャンバが一体的に形成された収容体下部８と、前記フィルタ５の上側（下流側）の端面を覆う収容体上部９とから構成されている。前記収容体下部８は、中央部に外ケーシング３の上流側空間１４に向けて開口する方形状の上流側開口１０が形成されている。また前記収容体下部８は、フィルタ５の下側の周縁部を支持した後、その内側位置から下側に延在するように形成することにより、周縁部に段差部８ａが設けられるとともに、内部に空間部８ｂが設けられている。前記外ケーシング３内部への設置状態では、段差部８ａより上側が下流側空間１６に位置し、それより下側が上流側空間１４に位置している。なお、前記空間部８ｂの底面に前記上流側開口１０が設けられている。前記収容体上部９は、中央部に外ケーシング３の下流側空間１６に向けて開口する方形状の下流側開口１１が形成されている。また前記収容体上部９は、フィルタ５を上側から押さえ付ける機能を有しており、上板９ａと、この上板９ａの下面にフィルタ５の上側の周縁部を押さえ付けるようにフィルタ５の周縁に沿って突設された押え部材９ｂと、前記上板９ａの下面に突設されたボルトを前記胴部７に形成されたリブの貫通孔に挿入し、ナットの螺進退によってフィルタ５の押え圧力を調整可能とした調整部材９ｃとから構成されている。
【００２８】
前記胴部７には、前記フィルタユニット２の設置時に、外ケーシング３の内面に係合してフィルタユニット２の位置決めを行うための複数のガイド板１２、１２…が突設されている。前記ガイド板１２は、図２及び図３に示されるように、平面視略方形状に形成された胴部７の各辺の中央部にそれぞれ上下２段で設けられている。前記ガイド板１２は、フィルタユニット２を外ケーシング３の上方から内部に挿入させやすいように外縁の下側が大きく曲線状に切り欠かれている。また、両側のガイド板１２、１２の外縁間の長さは、前記外ケーシング３の内部空間の寸法に対して若干小さな寸法で形成され、フィルタユニット２の設置時にフィルタユニット２が外ケーシング３の内部空間のほぼ中央部に位置決めできるようにしている。
【００２９】
また、前記胴部７の下端部にパッキン３２が設けられ、このパッキン３２がフィルタユニット２の自重で押圧されることによって、後段で詳述する外ケーシング３の上流側空間１４と下流側空間１６との間の段差部１６ａに当接して上流側空間１４と下流側空間１６との間を仕切るとともに、フィルタ流路２Ａ以外の気密を保持している。
【００３０】
前記上流側開口１０には、図４に示されるように、該上流側開口１０を閉塞可能且つ内側の前記空間部８ｂに向けて回動可能な閉塞板２４が設けられている。この閉塞板２４は、前記フィルタユニット２の脱着時に比較的多く放射性物質が捕集された上流側のフィルタ５（前記ＨＥＰＡフィルタ５ａ）が露出することによって放射能汚染が拡大しないように上流側開口１０を閉塞するためのものである。前記閉塞板２４は平面視で前記上流側開口１０より大きな方形状に形成され、その一辺が収容体下部８の内面に軸支され、空間部８ｂに向けて回動可能に設けられている。前記上流側開口１０の周縁部には、全周に亘って前記閉塞板２４と当接するパッキン２５が設けられ、前記閉塞板２４の閉塞状態において外部との気密が保持されるようになっている。前記閉塞板２４は、閉塞状態を保持するため、回動軸部に付勢手段を設けることによって閉塞板２４の閉塞方向に向けて付勢力を付加することが好ましい。
【００３１】
次に、前記外ケーシング３は、図１に示されるように、前記フィルタユニット２を設置するための内部空間が設けられている。この内部空間は、平面視略円形状に形成され、側面に空気流入口１３が設けられた相対的に下側に位置する上流側空間１４と、側面に空気流出口１５が設けられた相対的に上側に位置する下流側空間１６とからなる上下２段に画成されている。前記上流側空間１４と下流側空間１６との間には、上流側空間１４の方が下流側空間１６より小さな断面形状で形成されることにより、前記フィルタユニット２の段差部８ａが係合する段差部１６ａが形成されている。また、前記外ケーシング３の上部は開放した開放部１７とされ、この開放部１７を通じて前記フィルタユニット２が上下方向に挿通可能に形成されている。
【００３２】
前記上流側空間１４の底面の中央部には、押棒２３が突設されている。この押棒２３は、図１に示されるように、前記フィルタユニット２の設置時に、前記閉塞板２４と衝合して閉塞板２４を内側に回動させ上流側開口１０の閉塞状態を解除して上流側開口１０を通じた空気の流通を可能にするためのものである。
【００３３】
前記上流側空間１４及び下流側空間１６にはそれぞれ、両空間の差圧を計測して空気漏れやフィルタの目詰まり等を監視するための差圧検出用ノズル１８、１９が設けられている。また、前記下流側空間１６には、内部の放射線量を測定するための放射線検出器２０が設けられている。また、前記外ケーシング３の底面には４箇所にキャスター２１、２１…が設けられ、空気浄化装置１を任意の場所に移動できるようになっている。さらに、前記外ケーシング３の外周は、鉛板マット２２で覆われ、外部に拡散する放射線量の低減を図っている。また、前記外ケーシング３には上流側空間１４の底部に通じるドレン管３３が取り付けられ、通常はこのドレン管３３に設けられたバルブを閉状態として前記上流側空間１４内の気密が保持されているが、結露によって前記上流側空間１４内に水が溜まった場合には外部に排出できるようにしている。
【００３４】
前記蓋体４は、詳細には図５に示されるように、円板状に形成された上板２６の下面に、外ケーシング３の開放部１７の周縁内側に係合するように円周方向に複数のガイド板２７、２７…が半径方向に沿って突設されている。図示例では、前記ガイド板２７は、円周方向にほぼ等間隔で４箇所に設けられている。前記ガイド板２７は、蓋体４を外ケーシング３の開放部１７に挿入させやすいように外側端部を大きく曲線状に切り欠いてある。また、ガイド板２７…より外周側には、外ケーシング３の上端部に当接するパッキン２８が全周に亘って設けられ、蓋体４の自重を作用させパッキン２８を押圧することによって外ケーシング３の内部空間と外部との気密を保持している。また、外ケーシング３の内部空間に位置する部分には結露防止のため保温材２９が設けられている。
【００３５】
前記空気浄化装置１の組立ては、図１に示されるように、前記フィルタユニット２を外ケーシング３の内部空間内に設置するだけで、押棒２３によって閉塞板２４が開状態とされるとともに、フィルタユニット２の段差部８ａと外ケーシング３の段差部１６ａとの間に介在するパッキン３２がフィルタユニット２の自重によって押圧され、フィルタ流路２Ａ以外の気密が保持されるようになっている。また、前記蓋体４を開放部１７に設置するだけで、蓋体４と外ケーシング３の上端部に介在するパッキン２８が蓋体４の自重によって押圧され、下流側空間１６と外部との間の気密が保持されるようになっている。
【００３６】
このようにフィルタユニット２の設置状態で、前記上流側開口１０と前記空気流入口１３とが前記上流側空間１４を通じて連通しており、かつ前記下流側開口１１と前記空気流出口１５とが前記下流側空間１６を通じて連通している。すなわち、空気流入口１３から流入した空気はいったん上流側空間１４を通って上流側開口１０に導入され、下流側開口１１から流出した空気はいったん下流側空間１６を通って空気流出口１５に導入される。
【００３７】
上記構成からなる空気浄化装置１の運転について説明すると、空気流出口１５側に設置したファン（図示せず）などによって吸込圧を作用させることによって、空気流入口１３から上流側空間１４内に流入した空気は、上流側開口１０を通じてフィルタユニット２内部のフィルタ流路２Ａに進入し、各種フィルタ５を通過する際に粒子状放射性物質、微粒粉塵、単体ヨウ素及びヨウ素化合物が捕集され、比較的清浄となった空気が下流側開口１１を通じて下流側空間１６に流出し、空気流出口１５を通って外部に排出される。
【００３８】
次に、前記フィルタユニット２の交換方法について説明する。予め交換作業に先立って、可能な場合には、前記空気流入口１３から清浄な空気を上流側空間１４に送り、上流側空間１４の内壁等に付着した放射性物質をできる限りフィルタユニット２に送り込むようにすることが望ましい。これによって前記フィルタユニット２の脱着時に上流側空間１４内に付着した放射性物質からの放射線放出が極力抑えられるようになる。続いて、クレーンなどによって蓋体４を吊り上げて取り外した後、使用済みのフィルタユニット２を吊り上げて取り除く。その後、再びクレーンなどによって新しいフィルタユニット２を外ケーシング３の内部空間に設置し、最後に蓋体４を設置して完了する。このように、本空気浄化装置１では、フィルタユニットの交換が直接的な人手によることなくクレーンなどを使用して遠隔操作によって行えるため、被ばく線量は空気浄化装置１からの距離の２乗に反比例して低減するので、フィルタユニット２の交換作業が安全に行えるようになる。また、前記フィルタユニット２を外ケーシング３の内部空間内に設置するだけでフィルタユニット２の自重によって上流側空間１４と下流側空間１６との間の気密が保持されるとともに、蓋体４を外ケーシング３に設置するだけで蓋体４の自重によって外ケーシング３の内部空間と外部との間の気密が保持されるため、フィルタユニットの交換作業が簡便に行えるようになる。
【００３９】
前記蓋体４及びフィルタユニット２をクレーンで吊り上げるに際しては、蓋体４の上板２６及びフィルタユニット２の上板９ａをそれぞれ、磁気に対して吸着可能な素材、具体的には鋼材（ＳＳ４００程度）などで構成することによって、これらを磁石の磁力によって吸着して吊り上げるようにすることが好ましい。これによって、フィルタユニット２の交換作業がより簡便となる。前記磁石としては、整流器スイッチの「ＯＮ」「ＯＦＦ」により、それぞれ「励磁」「無励磁」状態の切り換えが可能な電磁石を使用することが好ましい。なお、蓋体４の上板２６及びフィルタユニット２の上板９ａ以外の各部材は、磁石が余計なところに吸着しないように、磁気に対して吸着不能な素材、具体的にはステンレス鋼（ＳＵＳ３０４程度）などで構成することが好ましい。
【００４０】
また、前記フィルタユニット２及び蓋体４の設置に際しては、それぞれに設けられたガイド板１２、２７の端部を大きく曲線形状に切り欠いてあるため、フィルタユニット２及び蓋体４が少しくらい外ケーシング３の中心からずれても、これら切欠き部が外ケーシング３に当たって滑ることにより外ケーシング３の中心部に設置できるようになっている。
【００４１】
〔他の形態例〕
(1)上記形態例では、前記上流側空間１４に向けて開口する上流側開口１０のみに閉塞板２４及び押棒２３を設ける一方、前記下流側開口１１ではフィルタ通過後の比較的清浄な空気が通過するという考えから閉塞板を設けずに常時開口としていたが、図６及び図７に示されるように、前記下流側空間１６に向けて開口する下流側開口１１に閉塞板３０を設けるとともに、前記蓋体４の下面に、蓋体４の設置時に前記閉塞板３０に衝合して下流側開口１１の閉塞状態を解除するための押棒３１を突設することができる。これにより、フィルタ５の上流側に捕集された放射性物質による放射能汚染の影響も抑えることができるようになる。前記閉塞板３０は、上流側開口１０に設けられた閉塞板２４と同様に、一辺が収容体上部９の内面に軸支され、内側に向け付勢力に抗して回動可能に設けられている。さらに、閉塞状態を保持するため回動軸部に閉塞板３０の閉塞方向に向けて付勢力を付加する付勢手段が設けられている。また、前記下流側開口１１の周縁部には、全周に亘って閉塞板３０に当接するパッキン３０ａが設けられている。
【００４２】
(2)上記形態例では、前記外ケーシング３の底面にキャスター２１、２１…を設けることによって移動式の空気浄化装置１としていたが、図８に示されるように、キャスターを設けず床面に固定可能とした固定式の空気浄化装置１としてもよい。
【００４３】
(3)上記形態例では、前記蓋体４及びフィルタユニット２を磁石で吸着することによって吊り上げていたが、前記蓋体４及びフィルタユニット２の上面にそれぞれ掛止用のフックなどを設けておきこのフックに掛止することによって吊り上げるようにしたり、前記蓋体４及びフィルタユニット２を重機などによって直接挟持したりしてもよい。
【産業上の利用可能性】
【００４４】
本発明は、原子力施設等の放射性物質で汚染された建屋内の空気浄化用としてのみならず、バイオハザード施設やその他の施設の空気浄化用としても利用することができる。
【符号の説明】
【００４５】
１…空気浄化装置、２…フィルタユニット、２Ａ…フィルタ流路、３…外ケーシング、４…蓋体、５…フィルタ、６…フィルタ収容体、１０…上流側開口、１１…下流側開口、１２…ガイド板、１３…空気流入口、１４…上流側空間、１５…空気流出口、１６…下流側空間、１７…開放部、２３…押棒、２４…閉塞板、２５・２８・３２…パッキン、２７…ガイド板
【図１】
0006001285.tif 000002
【図２】
0006001285.tif 000003
【図３】
0006001285.tif 000004
【図４】
0006001285.tif 000005
【図５】
0006001285.tif 000006
【図６】
0006001285.tif 000007
【図７】
0006001285.tif 000008
【図８】
0006001285.tif 000009